(57)【要約】【課題】本発明は、第１の筐体と該第１の筐体に対して折り畳み可能な第２の筐体がフレキシブルプリント回路基板によって連結された折り畳み型携帯端末に関し、水没をした時などにおける防水に配慮する。【解決手段】入力キー基板５を有する第１の筐体Ａ１はケースパッキン７を有し、表示器基板１１を有する第２の筐体はケースパッキン１３を有しており、フロントフレキ部パッキン２０，２７とリアフレキ部パッキン２１，２８が、第１の筐体Ａ１と第２の筐体Ａ２を連結するフレキシブルプリント回路基板１５を挟み込むように配置されている。【選択図】        図５
2005032752.tif 000002
【特許請求の範囲】
【請求項１】
第１の筐体と該第１の筐体に対して折り畳み可能な第２の筐体がフレキシブルプリント回路基板によって連結された折り畳み型携帯端末であって、
第１の筐体および又は、第２の筐体は、ケースパッキンを備え、
該ケースパッキンは、
プリント基板を囲む周囲パッキンと、
該周囲パッキンと接続される第１のフレキ部パッキンと、
前記フレキシブルプリント回路基板と挟み込んだ状態で、該第１のフレキ部パッキンと嵌合する第２のフレキ部パッキンと、
を有していることを特徴とする折り畳み型携帯端末。
【請求項２】
前記第１のフレキ部パッキンにおける前記フレキシブルプリント回路基板と接する面は、
凹凸形状であることを特徴とする請求項１に記載の折り畳み型携帯端末。
【請求項３】
プリント基板を囲む周囲パッキンと、
該周囲パッキンと接続される第１のフレキ部パッキンと、
第１の筐体と第１の筐体に対して折り畳み可能な第２の筐体とを連結するフレキシブルプリント回路基板を挟み込んだ状態で、該第１のフレキ部パッキンと嵌合する第２のフレキ部パッキンを、
有することを特徴とするケースパッキン。
【発明の詳細な説明】
【０００１】
【発明の属する技術分野】
本発明は入力キーを有する第１の筐体と表示器を有する第２の筐体がヒンジ部によって折り畳み機能を有する折り畳み型携帯端末の防水構造に関するものである。
【０００２】
具体的には、折り畳み型携帯端末として、携帯電話機または、パーソナル・ハンディホン・システム、パーソナル・デジタル・アシスタント、ノート型パーソナルコンピュータ、デジタルカメラ等があげられる。
【０００３】
そして特に、携帯電話機においては、入力キーを有する第１の筐体と表示器を有する第２の筐体の接合部分を軸として、第２の筐体が回転して展開される携帯電話機も折り畳み型携帯電話機に含まれる。
【０００４】
以下、折り畳み型携帯端末として、折り畳み型携帯電話機を例示して説明する。
【０００５】
【従来の技術】
携帯電話機は、携帯性を有し、あらゆる環境においても使用可能であることが求められる。特に携帯電話機などは雨の日に屋外で使用されることも多く、従来から防水構造を設けることが必要であった。
【０００６】
従来、ストレート型携帯電話機の防水構造は、ストレート型携帯電話機の基板外周に外周パッキンを設け、基板全体を囲んでしまう構造であった。これによりストレート型携帯電話機内部の実装基板に対する水などによるショートなどの不具合を回避することができる。
【０００７】
また近年、携帯電話機において、折り畳み型が普及してきており、ストレート型携帯電話機と同様、折り畳み型携帯電話機における防水構造も求められるようになってきている。
【０００８】
通常、折り畳み型携帯電話機は、文字や数字、記号等の入力やいろいろなメニューを選ぶのに用いられるキーパッドが設けられた第１の筐体と、あらゆる情報を液晶ディスプレイなどを用いて表示する第２の筐体とから構成される。この第１の筐体と第２の筐体はヒンジ部によって連結し折り畳み可能に連結されている。
【０００９】
そして前記第１の筐体は、一対のフロントケースとリアケースを有している。そしてこのフロントケースとリアケースの間にはキーパッドからの入力信号を処理する入力キー基板と、キーパッドにあわせて形成されたシートとが配置される構造になっている。
【００１０】
前記第２の筐体は、一対のフロントケースとリアケースを有し、このフロントケースとリアケースの間には液晶ディスプレイと、その表示制御を行う表示器基板とが組み込まれるようになっている。
【００１１】
また、電気的に前記入力キー基板と前記表示器基板を接続するために、入力キー基板はコネクタを介してフレキシブルプリント回路基板の一方端と接続されている。そして表示器基板はそのフレキシブルプリント回路基板の他方端とコネクタを介して接続されている。このフレキシブルプリント回路基板は第１の筐体と第２の筐体とを連結するヒンジ部を通るように配置されている。
【００１２】
このような構造を持つ折り畳み型携帯電話機において、ヒンジ部は第１の筐体と第２の筐体とを折り畳み可能に連結するため、どうしても多少の隙間がヒンジ部にできてしまい、このヒンジ部の隙間から水等が侵入し、ショート等の不具合が生じてしまう。
【００１３】
このような問題を解決するための、折り畳み型携帯電話機においての防水構造に関する先行特許文献は、次のようなものがある。
【００１４】
【特許文献１】
特開２００２−３１９７７１号公報
特許文献１における折り畳み型携帯電話機においての防水構造は、図１０に示すものである。図１０に示す折り畳み型携帯電話機は、キーパッドにあわせて形成されたシート３７を内装しており、フレキシブルプリント回路基板３８の表裏面に当接された一対のパッキン３９，４０が設けられている。一方のパッキン３９はリアケース４１に固定されている。またパッキン４０は、シート３７の端部に一体形成されているとともに、その先端部が薄肉状の舌片４２となされている。
【００１５】
このような防水構造を有する引用特許文献１中の折り畳み型携帯電話機は、ヒンジ部分に水等が付着してもフレキシブルプリント回路基板とコネクタとの接点の保護を行うことができる。
【００１６】
【発明が解決しようとする課題】
上述した従来の防水構造を有する折り畳み型携帯電話機の目的は、水滴、湿気等による水分が携帯電話機のヒンジ部から携帯電話機に浸入することを防ぐことである。つまり上記折り畳み型携帯電話機の解決課題は、ヒンジ部から侵入した水等がフレキシブルプリント回路基板上を通って入力キー基板へ到達することを防ぐことである。
【００１７】
しかし携帯電話機が水没してしまったりして水を被った場合等、従来の防水構造では、ヒンジ部に設けられたパッキンは、フレキシブルプリント回路基板とパッキンの隙間に水が浸入することを十分防ぐことができない。またヒンジ部からの水の侵入は、パッキン以外のところからまわり込む侵入ルートもあるためその水の侵入を十分に防ぐことができない。
【００１８】
またこのような場合、ヒンジ部からだけでなく、第１の筐体、第２の筐体それぞれのフロントケースとリアケースの接合部分からも、携帯電話機内に水が浸入し、ショートする等の支障をきたしていた。
【００１９】
本発明では、折り畳み型携帯端末が水没等して大量の水を被った場合でも折り畳み型携帯端末のショート等を防ぐことができるより高い防水力を実現する防水構造を備えた折り畳み型携帯端末を提供することを目的とする。
【００２０】
【課題を解決するための手段】
上記目的を達成するため、本発明の折り畳み型携帯端末は、第１の筐体と第２の筐体とがヒンジ部を介して連結されている。そして前記第１の筐体はフロントケースとリアケースの一対によって構成されており、前記フロントケースと前記リアケースとの間に、キーパッド、入力キー基板が積層状に配置されている。
【００２１】
そして前記第２の筐体はフロントケースとリアケースの一対によって構成されており、前記フロントケースと前記リアケースとの間に、ディスプレイと、表示器基板が配置されている。
【００２２】
第１の筐体において、キーパッドと入力キー基板の間に配置されるシートは、キーパッドの形状にあわせて凸部が設けられており、キーパッドと一体形成されている。
【００２３】
そして本発明では新たに入力キー基板の外周に周囲パッキンを備え、さらにフレキシブルプリント回路基板の表に設けられて、フレキシブルプリント回路基板に接触する面が凹凸に構成されているフロントフレキ部パッキンと、該フレキシブルプリント回路基板の裏に設けられて、フレキシブルプリント回路基板に接触する面が凹凸に構成されているリアフレキ部パッキンとを有している。
【００２４】
周囲パッキン、フロントフレキ部パッキン、リアフレキ部パッキンを総称してケースパッキンと呼び、ケースパッキンは材料としてシリコンゴム等を用いて作成される。
【００２５】
第２の筐体についても同様に、表示器基板の外周に周囲パッキンと、フレキシブルプリント回路基板の表に設けられて、フレキシブルプリント回路基板に接触する面が凹凸に構成されているフロントフレキ部パッキンと、該フレキシブルプリント回路基板の裏に設けられて、フレキシブルプリント回路基板に接触する面が凹凸に構成されているリアフレキ部パッキンとから構成されるケースパッキンを有している。
【００２６】
第１の筐体において、周囲パッキンは、リアケースの背面に、入力キー基板の外周に合わせて形成された溝部に、固定できるようになっている。リアフレキ部パッキンも、フレキシブルプリント回路基板を挟み込めるように、リアケース背面のヒンジ部側に形成されたリア溝部に、固定できるようになっている。
【００２７】
そしてフロントケース背面は、リアケース背面に設けられた溝部にあった凸部と、フロントフレキ部パッキンを固定できるフロント溝部を有する。前記フロントケースを、前記周囲パッキンと前記リアフレキ部パッキンを、装着完了したリアケースと嵌めこんだ場合、リアケース背面の凸部によって周囲パッキンを押圧し、フロントフレキ部パッキンを固定して、フレキシブルプリント回路基板を挟み込む構成になっている。
【００２８】
第２の筐体においても同様に、周囲パッキンは、リアケースの背面に、表示器基板の外周に合わせて形成された溝部に、固定できるようになっている。リアフレキ部パッキンも、フレキシブルプリント回路基板を挟み込めるように、リアケース背面のヒンジ部側に形成されたリア溝部に、固定できるようになっている。
【００２９】
そしてフロントケース背面は、リアケース背面に設けられた溝部にあった凸部と、フロントフレキ部パッキンを固定できるフロント溝部を有する。前記フロントケースを、前記周囲パッキンと前記リアフレキ部パッキンを装着完了したリアケースと嵌めこんだ場合、リアケース背面の凸部によって周囲パッキンを圧縮し、フロントフレキ部パッキンを固定してフレキシブルプリント回路基板を挟み込む構成になっている。
【００３０】
係る構成によれば、折り畳み型携帯端末が水没等をしてしまった場合、折り畳み型携帯端末のヒンジ部から水が第１の筐体、第２の筐体内に浸入してもフロントフレキ部パッキンとリアフレキ部パッキンによって入力キー基板、表示器基板を水から保護することができる。そしてフロントケースとリアケースの接合部からの水の浸入した場合においても、入力キー基板、表示器基板の外周の周囲パッキンによって入力キー基板、表示器基板を水から保護することができる。
【００３１】
そしてフロントフレキ部パッキンとリアフレキ部パッキンを、連結部によって結合して作成してもよい。フロントフレキ部パッキンとリアフレキ部パッキンを結合させることによって部品点数を削減でき、生産工程を簡略化することができる。
【００３２】
また第１の筐体、第２の筐体において、フロントフレキ部パッキンとリアフレキ部パッキンを、連結部によって結合し、さらに前記周囲パッキンと前記リアフレキ部パッキンを補助部によって一体形成したケースパッキンを、シリコンゴム等を用いて作成してもよい。ケースパッキンを一体形成することによって、折り畳み型携帯端末における部品点数を削減することができる。
【００３３】
また上記目的をより確実に達成するために、フロントフレキ部パッキンとリアフレキ部パッキンのフレキシブルプリント回路基板を挟み込む面を凹凸に加工しても良い。フロントフレキ部パッキンとリアフレキ部パッキンの挟み込み面を凹凸に加工することによって、小さい圧力においても高い密閉力を実現することができる。
【００３４】
【発明の実施の形態】
以下、本発明の具体的な実施の形態として折り畳み型携帯電話機について、図面を参照して詳細に説明する。図１１は実施形態に係る折り畳み型携帯電話機であって、開いた状態を示す斜視図である。
【００３５】
折り畳み型携帯電話機は、第１の筐体Ａ１と第２の筐体Ａ２からなり、これらがヒンジ部Ａ３によって連結されて折り畳み自在に組み合わされて構成されている。
【００３６】
前記第１の筐体Ａ１は、図１に示すように、一対のフロントケース１とリアケース２を有し、これらは、例えば材料として合成樹脂等を用いて成形されている。フロントケース１はキーパッド４を組み込むためのキー窓３が設けられている。第１の筐体内部材としては、フロントケース側から、キーパッド４、入力キー基板５が配置されている。
【００３７】
そしてキーパッド４は、キーパッド４の凹凸にあわせて形成されたシートと一体形成されて、フロントケース１のキー窓３から外部に露出するように形成されており、文字や記号、数字等の入力や機能選択に用いられる。シートは、キー窓３とキーパッド４が組み合わされた状態でも隙間ができてしまい、水等が浸入してしまうので、それを防ぐためにキーパッド４と一体形成されて設けられている。
【００３８】
入力キー基板５は、キーパッド側の面にドームキー６が設けられている。ドームキー６は、キーパッド４が押された圧力によってドームキー６のスイッチを開閉する構造になっており、入力キー基板５は、キーパッド４からの入力信号を、ドームキー６を介して、実装されている電子回路などあらゆる部品で処理する。
【００３９】
そして本発明に係るケースパッキン７が、入力キー基板５を囲う位置に配置されている。
【００４０】
第１の筐体Ａ１はこれら第１の筐体内部材をフロントケース１とリアケース２で覆い、ねじ等の固定手段を用いて固定されている。
【００４１】
前記第２の筐体Ａ２は、図１に示すように、第１の筐体Ａ１と同様に、一対のフロントケース８とリアケース９を有し、合成樹脂などを用いて成形されている。フロントケース８にはディスプレイ１１を組み込むディスプレイ窓１０が設けられている。
【００４２】
フロントケース８とリアケース９内の部材としては、フロントケース側から、ディスプレイ１１、表示器基板１２が配置されている。ディスプレイ１１としては例えば、液晶ディスプレイ等が用いられ、フロントケース８のディスプレイ窓１０から外部に露出するように形成されている。ここでディスプレイ１１とディスプレイ窓１０の間にはどうしても隙間ができてしまうため、両面テープ等をその隙間に貼り付け、水等の浸入を防いでいる。
【００４３】
そして本発明に係るケースパッキン１３が、表示器基板１２を囲う位置に配置されている。
【００４４】
第２の筐体Ａ２は、これら第２の筐体内部材をフロントケース８とリアケース９で覆い、ねじ等の固定手段を用いて固定されている。
【００４５】
ここで請求項１中に示すプリント基板は、入力キー基板５、表示器基板１２を示す。
【００４６】
電気的に前記入力キー基板５と前記表示器基板１２を接続するために、図２に示すように、入力キー基板はコネクタ１４を介してフレキシブルプリント回路基板１５の一方端と接続されている。
【００４７】
前記フレキシブルプリント回路基板１５の他方端は表示器基板１２とコネクタ１６を介して接続されている。これらのコネクタ１４、１６は通常、入力キー基板５、表示器基板１２のフロントケース側に設けられている。そして前記フレキシブルプリント回路基板１５は、前記第１の筐体Ａ１と前記第２の筐体Ａ２とを連結するヒンジ部Ａ３内を一周して通るように配置されている。
【００４８】
そしてフレキシブルプリント回路基板は、ヒンジ部からの水等の浸入を防ぐために、フロントフレキ部パッキン２０，２７とリアフレキ部パッキン２１，２８によって挟み込まれている。
【００４９】
そして図３に示すケースパッキン７は、フロントフレキ部パッキン２０とリアフレキ部パッキン２１が連結部２２によって接合され、さらにリアフレキ部パッキン２１が、徐々にリアフレキ部パッキン方向に幅が広がっている補助部１９に周囲パッキン１７と一体形成されて構成されている。ケースパッキンを構成する周囲パッキン、フロントフレキ部パッキン、リアフレキ部パッキンが一体形成されていることは、防水力を高める効果を有する。
【００５０】
ここで請求項１中での第１のフレキ部パッキンはリアフレキ部パッキン２１，２８を示し、第２のフレキ部パッキンはフロントフレキ部パッキン２０，２７を示す。
【００５１】
周囲パッキン１７は、１辺が数ミリ程度の四角形の断面をしている棒状のシリコンゴムがコの字型に形成されたものである。ここでコの字型周囲パッキン１７の大きさは入力キー基板５、表示器基板１２の大きさにあわせてそれぞれの外周を囲う大きさである。
【００５２】
そしてフロントフレキ部パッキン２０とリアフレキ部パッキン２１は直方体に形成されて、それぞれのフレキシブルプリント回路基板１５を挟み込む面２０ｆ、２１ｆが、凹凸状に加工されている。
【００５３】
第１領域１８を拡大した図を図４に示す。連結部２２はフロントフレキ部パッキン２０とリアフレキ部パッキン２１の１辺を連結部２２によって接合しているが、一辺の一部だけ接合しており、フレキシブルプリント回路基板１５を通すフレキきりかき部２３が形成されている。
【００５４】
ケースパッキン１３もケースパッキン７と同様の構造を有している。
【００５５】
ケースパッキン７、１３を折り畳み型携帯電話機に装着した状態は、図５に示すとおりである。図５は第１の筐体Ａ１、第２の筐体Ａ２のフロントケース１、８をはずした状態での部分展開図である。
【００５６】
フレキシブルプリント回路基板１５はフロントフレキ部パッキン挟み込み面２０ｆ，２７ｆとリアフレキ部パッキン挟み込み面２１ｆ，２８ｆによって挟み込まれるように配置される。
【００５７】
ここでフレキきりかき部２３，２９にフレキシブルプリント回路基板１５が通されている。入力キー基板５と表示器基板１２はそれぞれ、ケースパッキン７，１３によって囲まれている。
【００５８】
また第２領域２５も第１領域１８と同様の構造になっている。
【００５９】
フレキシブルプリント回路基板１５をフレキ部パッキン１８で挟み込んだ断面図は図６に示すとおりである。同図（ａ）がフレキシブルプリント回路基板１５をフロントフレキ部パッキン２０とリアフレキ部パッキン２１で挟み込む前の図であり、同図（ｂ）がフレキシブルプリント回路基板１５をフロントフレキ部パッキン２０とリアフレキ部パッキン２１で挟みこんだ図である。
【００６０】
フロントフレキ部パッキン挟み込み面２０ｆとリアフレキ部パッキン挟み込み面２１ｆは、凹凸状に形成されており、挟み込んだ状態で、凹凸面がかみ合う構造になっている。加圧下において、フロントフレキ部パッキン２０とリアフレキ部パッキン２１は、変形可能なシリコンゴムでできているので、ヒンジ部Ａ３からの水の浸入を防げることに加え、挟み込まれているフレキシブルプリント回路基板１５は傷つくことはない。
【００６１】
第１の筐体のリアケース２についての三面図を図８に示す。同図（ａ）はリアケース正面２Ｆであり、同図（ｂ）はリアケース側面２Ｓであり、同図（ｃ）はリアケース背面２Ｒである。
【００６２】
リアケース背面２Ｒに、入力キー基板５の外周に合わせてコの字型に形成された溝部３３と、コの字型の溝部３３を繋ぐようにヒンジ部側に形成されたリア溝部３４が形成されている。溝部３３には周囲パッキン１７を嵌めこんで固定できるようになっており、リア溝部３４にはリアフレキ部パッキン２１を嵌めこんで固定できるようになっている。
【００６３】
第１の筐体のフロントケース１についての三面図を図７に示す。同図（ａ）はフロントケース正面１Ｆであり、同図（ｂ）はフロントケース側面１Ｓであり、同図（ｃ）はフロントケース背面２Ｒである。
【００６４】
そしてフロントケース背面１Ｒは、リアケース背面２Ｒに設けられた溝部３３にあった凸部３１と、フロントフレキ部パッキン２０を嵌めこんで固定できるフロント溝部３２を有する。
【００６５】
前記周囲パッキン１７と前記リアフレキ部パッキン２１を装着完了したリアケース２と、前記フロントケース１とを組み合わせた場合、フロントケース背面１Ｒの凸部３１によって周囲パッキン１７を押圧する。さらにフロントフレキ部パッキン２０を固定して、フレキシブルプリント回路基板１５をフロントフレキ部パッキン２０とリアフレキ部パッキン２１挟み込み、第１の筐体Ａ１を密閉可能とする。
【００６６】
第２の筐体Ａ２のリアケースも、第１の筐体Ａ１と同様に、リアケース背面に、表示器基板１２の外周に合わせて溝部が形成されている。溝部には周囲パッキンを嵌めこんで固定できるようになっている。リアフレキ部パッキンも、リアケースの背面に、フレキシブルプリント回路基板を挟み込めるように、嵌めこんで固定できるようになっている。
【００６７】
そしてフロントケース背面は、リアケース背面に設けられた溝にあった凸部と、フロントフレキ部パッキンを固定できる溝を有する。
【００６８】
第１の筐体Ａ１、第２の筐体Ａ２に、ケースパッキン７，１３を配置して、防水構造を設けた本発明に係る折り畳み型携帯電話機Ａは、従来の折り畳み型携帯電話機の防水構造と対比すると以下のような点で相違する。
【００６９】
従来の折り畳み型携帯電話機における防水構造では、第１の筐体Ａ１と第２の筐体Ａ２を連結するヒンジ部Ａ３からの水滴等、湿気等のごく少量の水分が携帯電話機に浸入することを防ぐことを主目的としている。
【００７０】
したがって例えば、図９に示すように、フレキシブルプリント回路基板１５の裏面にパッキン３５，３６を設けたりなどして、ヒンジ部Ａ３からの水等の浸入を防いでいた。また材料としては、柔軟性のある防水材が用いられ、特にシリコンゴムやウレタンなどが用いられていた。
【００７１】
しかし携帯電話機が水を被ってしまったりした場合は、大量の水がヒンジ部から侵入する可能性があり、そのようなとき、従来の防水構造ではヒンジ部からの水の浸入を完全に防ぐことができない。またこのような場合、ヒンジ部からだけでなく、第１の筐体Ａ１、第２の筐体Ａ２それぞれのフロントケース１，８とリアケース２，９の接合部分からも、携帯電話機内に水が浸入してしまい、その水を防ぐことができない。
【００７２】
本発明では、周囲パッキン１７，２４とフロントフレキ部パッキン２０，２７、リアフレキ部パッキン２１，２８、連結部２２，２９、フレキ挿通部２３，３０から構成されるケースパッキン７，１３が設けられているため、折り畳み型携帯電話機Ａが水没等して大量の水等を被った場合でも入力キー基板５、表示器基板１２を水等から保護することができる。
【００７３】
次に、以上述べた本発明の折り畳み型携帯電話機の実施形態の変形例、その他の技術的な拡張事項等を以下に列挙する。
【００７４】
（１）  上記実施形態では、携帯電話機を例にとって説明したが、本発明は、
パーソナル・ハンディホン・システム、パーソナル・デジタル・アシスタント、ノート型パーソナルコンピュータ、デジタルカメラ等、各種の携帯端末に適用できるものであり、実施形態の携帯電話機に限定されるものではない。
【００７５】
（２）  上記実施形態では、ケースパッキンは、周囲パッキンとフロントフレキ部パッキン及びリアフレキ部パッキンから構成され、これが一体形成されているが、ケースパッキンは、周囲パッキンとフロントフレキ部パッキン及びリアフレキ部パッキンがすべて一体形成されていなくてもよい。
【００７６】
（３）  上記実施形態では、リアケース背面にケースパッキンを組み込み配置する溝を形成し、フロントケース背面にはリアケース背面に設けられた溝部にあった凸部が形成されているが、これはフロントケース背面にケースパッキンを組み込み配置する溝部を形成し、リアケース背面にフロントケース背面に設けられた溝にあった凸部を形成してもよい。
【００７７】
（４）  上記実施形態では、入力キー基板と表示器基板、フロントケース側上には、フレキシブルプリント回路基板と接続するためのコネクタが搭載されていたが、これはリアケース側上でもよい。
【００７８】
（５）  上記実施形態では、ケースパッキンは、周囲パッキンとリアフレキ部パッキンが補助部によって接合されているが、リアフレキ部パッキンではなくてフロントフレキ部パッキンでもよい。
【００７９】
（６）  上記実施形態では、フロントフレキ部パッキンとリアフレキ部パッキンは、フレキシブルプリント回路基板を挟み込む面が凹凸に加工されているが、ここでいう凹凸とは、はめ込んだときの形状が波型の含むものとする。
【００８０】
次に、以上述べた折り畳み型携帯端末の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８１】
（付記１）  第１の筐体と該第１の筐体に対して折り畳み可能な第２の筐体がフレキシブルプリント回路基板によって連結された折り畳み型携帯端末であって、
第１の筐体および又は、第２の筐体は、ケースパッキンを備え、
該ケースパッキンは、
プリント基板を囲む周囲パッキンと、
該周囲パッキンと接続される第１のフレキ部パッキンと、
前記フレキシブルプリント回路基板と挟み込んだ状態で、該第１のフレキ部パッキンと嵌合する第２のフレキ部パッキンと、
を有していることを特徴とする折り畳み型携帯端末。
【００８２】
（付記２）  前記第１のフレキ部パッキンにおける前記フレキシブルプリント回路基板と接する面は、
凹凸形状であることを特徴とする請求項１に記載の折り畳み型携帯端末。
【００８３】
（付記３）  前記第１の筐体は入力キー基板を有し、
前記第２の筐体は表示器基板を有することを特徴とする付記１に記載の折り畳み型携帯端末。
【００８４】
（付記４）  前記周囲パッキンと、該第１のフレキ部パッキン及び前記第２のフレキ部パッキンが、一体形成されていることを特徴とする付記１記載の折り畳み型携帯端末。
【００８５】
（付記５）  プリント基板を囲む周囲パッキンと、
該周囲パッキンと接続される第１のフレキ部パッキンと、
第１の筐体と第１の筐体に対して折り畳み可能な第２の筐体とを連結するフレキシブルプリント回路基板を挟み込んだ状態で、該第１のフレキ部パッキンと嵌合する第２のフレキ部パッキンを、
有することを特徴とするケースパッキン。
【００８６】
以上説明したように、本発明の実施の形態などについて折り畳み型携帯電話機について説明したが、本発明は、携帯話機以外の例えば、パーソナル・ハンディホン・システム、パーソナル・デジタル・アシスタント、ノート型パーソナルコンピュータ、デジタルカメラ等を包含するものである。
【００８７】
【発明の効果】
以上、説明したように、本発明に係わる折り畳み型携帯電話機によれば、携帯電話機が大量の水を被った場合でも、第１の筐体と第２の筐体を連結するヒンジ部や、第１の筐体、第２の筐体のフロントケースとリアケースの接合部分からの水の浸入を防ぐことができる。
【００８８】
また第１の筐体、第２の筐体、それぞれのフロントケース、リアケース周囲のパッキンと、第１の筐体、第２の筐体のヒンジ部パッキンを一体形成することにより部品の点数を削減することができ、さらにそれによって製品生産のスピードアップすることができる。
【図面の簡単な説明】
【図１】折り畳み型携帯電話機を示す分解斜視図
【図２】ヒンジ部近傍を示す断面図
【図３】ケースパッキンの斜視図
【図４】第１領域１８の詳細図
【図５】ヒンジ部近傍の展開図
【図６】フレキ部パッキンの断面図
【図７】フロントケース三面図
【図８】リアケース三面図
【図９】従来技術におけるヒンジ部近傍展開図
【図１０】先行技術文献１における従来技術を示す断面図
【図１１】実施形態に係る折り畳み型携帯電話機を示す斜視図
【符号の説明】
１…フロントケース
２…リアケース
３…キー窓
４…キーパッド
５…入力キー基板
６…ドームキー
７…ケースパッキン
８…フロントケース
９…リアケース
１０…表示窓
１１…ディスプレイ
１２…表示器基板
１３…ケースパッキン
１４…コネクタ
１５…フレキシブルプリント回路基板
１６…コネクタ
１７…周囲パッキン
１８…第１領域
１９…補助部
２０…フロントフレキ部パッキン
２１…リアフレキ部パッキン
２２…連結部
２３…フレキきりかき部
２４…周囲パッキン
２５…第２領域
２６…補助部
２７…フロントフレキ部パッキン
２８…リアフレキ部パッキン
２９…連結部
３０…フレキきりかき部
３１…凸部
３２…フロント溝部
３３…溝部
３４…リア溝部
３５…パッキン
３６…パッキン
３７…シート
３８…フレキシブルプリント回路基板
３９…パッキン
４０…パッキン
４１…リアケース
４２…舌片
Ａ  …折り畳み型携帯端末
Ａ１…第１の筐体
Ａ２…第２の筐体
Ａ３…ヒンジ部
【図１】
2005032752.tif 000003
【図２】
2005032752.tif 000004
【図３】
2005032752.tif 000005
【図４】
2005032752.tif 000006
【図５】
2005032752.tif 000007
【図６】
2005032752.tif 000008
【図７】
2005032752.tif 000009
【図８】
2005032752.tif 000010
【図９】
2005032752.tif 000011
【図１０】
2005032752.tif 000012
【図１１】
2005032752.tif 000013